(57)【要約】      （修正有）【課題】２枚の着衣でワンピーススタイルと羽織スタイルと着物スタイルの３通りの着こなしが可能な多用途浴衣を提供する。【解決手段】後身頃、右前身頃３、及び左前身頃４の長さが着用者の足首近傍までの長さである長寸の袖無しワンピース１と、背中を覆う後側の後身頃を介して右側の右袖部１５及び右前身頃１３、左側の左袖部１６及び左前身頃１４それぞれを連設し、さらに前記後身頃の首の後ろに相当する部分から前記右前身頃１３及び左前身頃１４の腹当部１３ａ、１４ａ付近にかけて帯状の衿部１７ａ、１７ｂを連設し、前記後身頃、右前身頃１３、及び左前身頃１４の長さが着用者のウエスト近傍までの長さである短寸の袖付き上衣１１と、胴部へ巻着する帯２１とを備える。【選択図】図４
0003205203.tif 000002
【実用新案登録請求の範囲】
【請求項１】
背中を覆う後側の後身頃を介して、右側に右前身頃、左側に左前身頃を有し、且つ前記後身頃と右前身頃とにかけての右肩当部と右脇当部との間、及び、前記後身頃と左前身頃とにかけての左肩当部と左脇当部との間に、それぞれ腕通し用の開口部を有し、前記後身頃、右前身頃、及び左前身頃の長さが着用者の肩から足首近傍までの長さである長寸の袖無しワンピースと、
背中を覆う後側の後身頃を介して右側の右袖部及び右前身頃、左側の左袖部及び左前身頃それぞれが連設され、さらに前記後身頃の首の後ろに相当する部分から前記右前身頃及び左前身頃の腹当部付近にかけて帯状の衿部が連設してなり、前記後身頃、右前身頃、及び左前身頃の長さが着用者のウエスト近傍までの長さである短寸の袖付き上衣と、
胴部へ巻着する帯と、
を備え、
前記袖無しワンピースのみの着用によりワンピーススタイル浴衣となし、
前記袖無しワンピースの上に前記袖付き上衣の重ね着により羽織スタイル浴衣となし、
前記袖無しワンピースの上に前記袖付き上衣が重ね着されている状態で胴部への帯の巻着により着物スタイル浴衣となすことを特徴とする多用途浴衣。
【請求項２】
前記袖無しワンピースは、前記右前身頃の端部におけるウエスト近傍の前面部に内側腰紐の端部が縫合され、前記左前身頃の端部におけるウエスト近傍の前面部に前側腰紐の端部が縫合され、前記左前身頃と後身頃との間における脇腹当部近傍の位置には前記右前身頃の内側腰紐を通すための通し孔を有してなる請求項１記載の多用途浴衣。
【請求項３】
前記袖付き上衣は、前記右前身頃と後身頃との間の脇当部外側、及び、前記左前身頃の衿部の端部外側に、互いに縛結される外側縛結紐を有し、前記左前身頃と後身頃との間の脇当部内側、及び、前記右前身頃の衿部の端部外側に、互いに縛結される内側縛結紐を有してなる請求項１記載の多用途浴衣。
【請求項４】
前記袖無しワンピース、袖付き上衣、帯の各素材がポリエステル製である請求項１乃至３記載の多用途浴衣。
【考案の詳細な説明】
【技術分野】
【０００１】
本考案は、特に女性が好みや必要に応じて着こなしを変えて楽しめる趣向性に富んだ多用途浴衣に関する。
【背景技術】
【０００２】
従来から、浴衣は、後身頃、左右の前身頃、左右の袖、及び衿を有し、上半身から下半身まで延びる一体物として構成されていて、着用時には、袖に腕を通し、左右の前身頃を重ね合わせ、腰部を紐等で縛り、おはしょりを整えて上から帯を巻くいわゆる着物スタイルが主流である。また、この着物スタイルの上に、後身頃、左右の前身頃、左右の袖、及び衿を有し、上半身のみの長さを有する羽織を着せることもある。
【先行技術文献】
【特許文献】
【０００３】
【特許文献１】特になし
【考案の概要】
【考案が解決しようとする課題】
【０００４】
しかしながら、従来においては、上半身から下半身まで延びる一体物として構成された袖無しワンピースタイプの浴衣は存在しない。
【０００５】
しかも、従来では、左右の袖及び衿を有する着物スタイルの浴衣の上に、さらに左右の袖及び衿を有する羽織を上半身に着ると、袖及び衿部分が嵩張ってしまい、浴衣としての清涼感や着心地に乏しいものとなる。
【０００６】
そこで、本考案は叙上のような従来存した諸事情に鑑み創出されたもので、上半身から下半身まで延びるワンピーススタイルと、羽織スタイルと、帯を使った着物スタイルとの３通りの着こなしが２枚の着衣でもって自由自在に行える多用途浴衣を提供することを目的とする。
【課題を解決するための手段】
【０００７】
上述した課題を解決するために、本考案にあっては、
背中を覆う後側の後身頃を介して、右側に右前身頃、左側に左前身頃を有し、且つ前記後身頃と右前身頃とにかけての右肩当部と右脇当部との間、及び、前記後身頃と左前身頃とにかけての左肩当部と左脇当部との間に、それぞれ腕通し用の開口部を有し、前記後身頃、右前身頃、及び左前身頃の長さが着用者の肩から足首近傍までの長さである長寸の袖無しワンピースと、
背中を覆う後側の後身頃を介して右側の右袖部及び右前身頃、左側の左袖部及び左前身頃それぞれが連設され、さらに前記後身頃の首の後ろに相当する部分から前記右前身頃及び左前身頃の腹当部付近にかけて帯状の衿部が連設してなり、前記後身頃、右前身頃、及び左前身頃の長さが着用者のウエスト近傍までの長さである短寸の袖付き上衣と、
胴部へ巻着する帯と、
を備え、
前記袖無しワンピースのみの着用によりワンピーススタイル浴衣となし、
前記袖無しワンピースの上に前記袖付き上衣の重ね着により羽織スタイル浴衣となし、
前記袖無しワンピースの上に前記袖付き上衣が重ね着されている状態で胴部への帯の巻着により着物スタイル浴衣となすことを特徴とする。
【０００８】
前記袖無しワンピースは、前記右前身頃の端部におけるウエスト近傍の前面部に内側腰紐の端部が縫合され、前記左前身頃の端部におけるウエスト近傍の前面部に前側腰紐の端部が縫合され、前記左前身頃と後身頃との間における脇腹近傍の位置には前記右前身頃の内側腰紐を通すための通し孔を有してなる。
【０００９】
前記袖付き上衣は、前記右前身頃と後身頃との間の脇部外側、及び、前記左前身頃の衿部の端部外側に、互いに縛結される外側縛結紐を有し、前記左前身頃と後身頃との間の脇部内側、及び、前記右前身頃の衿部の端部外側に、互いに縛結される内側縛結紐を有してなる。
【００１０】
前記袖無しワンピース、袖付き上衣、帯の各素材がポリエステル製である。
【考案の効果】
【００１１】
本考案によれば、上半身から下半身まで延びるワンピーススタイルと、羽織スタイルと、帯を使った着物スタイルとの３通りの着こなしが２枚の着衣でもって自由自在に行える。
【００１２】
すなわち、本考案は、背中を覆う後側の後身頃を介して、右側に右前身頃、左側に左前身頃を有し、且つ前記後身頃と右前身頃とにかけての右肩当部と右脇当部との間、及び、前記後身頃と左前身頃とにかけての左肩当部と左脇当部との間に、それぞれ腕通し用の開口部を有し、前記後身頃、右前身頃、及び左前身頃の長さが着用者の肩から足首近傍までの長さである長寸の袖無しワンピースと、
背中を覆う後側の後身頃を介して右側の右袖部及び右前身頃、左側の左袖部及び左前身頃それぞれが連設され、さらに前記後身頃の首の後ろに相当する部分から前記右前身頃及び左前身頃の腹当部付近にかけて帯状の衿部が連設してなり、前記後身頃、右前身頃、及び左前身頃の長さが着用者のウエスト近傍までの長さである短寸の袖付き上衣と、
胴部へ巻着する帯と、
を備え、
前記袖無しワンピースのみの着用によりワンピーススタイル浴衣となし、
前記袖無しワンピースの上に前記袖付き上衣の重ね着により羽織スタイル浴衣となし、
前記袖無しワンピースの上に前記袖付き上衣が重ね着されている状態で胴部への帯の巻着により着物スタイル浴衣となすので、
袖無しワンピースと袖付き上衣の二部式浴衣、及び帯によって、ワンピーススタイル浴衣、羽織スタイル浴衣、着物スタイル浴衣の３通りの着こなしが容易且つ簡単に行える。
加えて、特に大人の女性が好む趣向性に富んだ多用途浴衣を廉価に提供できる。
【００１３】
前記袖無しワンピースは、前記右前身頃の端部におけるウエスト近傍の前面部に内側腰紐の端部が縫合され、前記左前身頃の端部におけるウエスト近傍の前面部に前側腰紐の端部が縫合され、前記左前身頃と後身頃との間における脇腹当部近傍の位置には前記右前身頃の内側腰紐を通すための通し孔を有してなるので、従来の浴衣と同様に、内側腰紐を通し孔を介して外側に導き出すことで前記前側腰紐と容易に結ぶことができ、これによって衿元の着崩れを防止することができる。
【００１４】
前記袖付き上衣は、前記右前身頃と後身頃との間の脇当部外側、及び、前記左前身頃の衿部の端部外側に、互いに縛結される外側縛結紐を有し、前記左前身頃と後身頃との間の脇当部内側、及び、前記右前身頃の衿部の端部外側に、互いに縛結される内側縛結紐を有してなるので、前記袖無しワンピースの上に前記袖付き上衣が重ね着されている状態で胴部への帯の巻着により着物スタイル浴衣とする際において、当該帯の巻着時における前記右前身頃と左前身頃との各衿部同士のずれ込み、シワ、弛み等を防止でき、且つ着用後も着崩れし難いものとすることができる。
【００１５】
前記袖無しワンピース及び袖付き上衣の各素材がポリエステル製であるので、家庭用洗濯機で容易に洗濯でき、しかもシワになり難いため、アイロン掛けも不要となる。また、前記袖無しワンピースや袖付き上衣に、季節に応じた花柄模様を施しても容易には退色しないので、常に艶やかな色彩を保持することができる。
【図面の簡単な説明】
【００１６】
【図１】本考案の実施形態における袖無しワンピースの一例を示す正面図である。
【図２】図２中、（ａ）は袖付き上衣一例を示す正面図、（ｂ）は帯の一部を切欠した斜視図である。
【図３】図３中、（ａ）乃至（ｃ）は袖無しワンピースの着用手順を説明する正面図である。
【図４】図４中、（ａ）は袖無しワンピースの上に袖付き上衣を着用した場合の正面図、（ｂ）及び（ｃ）は帯を使って着物スタイルの浴衣となすための着用手順を説明する正面図である。
【考案を実施するための形態】
【００１７】
以下、図面を参照して本考案の実施の一形態を詳細に説明する。
【００１８】
本考案に係る多用途浴衣は、上半身から下半身、すなわち肩から足首近傍まで延びる長寸な一体物としてのポリエステル製の袖無しワンピース１（図１参照）と、該袖無しワンピース１の上に羽織状に重ね着可能とした着用者のウエスト近傍までの長さの短寸なポリエステル製の袖付き上衣１１（図２（ａ）参照）との２部式構成をなしている。
【００１９】
また、胴部へ巻着する帯２１（図２（ｂ）参照）をさらに加えることで着物スタイルの浴衣となって着用されることを可能にし、当該帯２１と、前記袖無しワンピース１及び袖付き上衣１１との合計３点セットによって着用者に提供されるものとしてある。
【００２０】
＜袖無しワンピースの構成＞
袖無しワンピース１は、図１に示すように、背中を覆う後側の後身頃２と、該後身頃２を介して、右側に右前身頃３、左側に左前身頃４を有し、前記後身頃２、右前身頃３、及び左前身頃４の長さが着用者の足首近傍までの長さとなって形成されている。
【００２１】
上記後身頃２の首部後方に対応する部位は略Ｖ字状に切欠され、上記右前身頃３及び左前身頃４の肩から胸にかけての部分は衿無しのストレート形状となっている。
【００２２】
また、上記後身頃２と右前身頃３とにかけての右肩当部３ｂと右脇当部３ｃとの間、及び、上記後身頃２と左前身頃４とにかけての左肩当部４ｂと左脇当部４ｃとの間は、それぞれが袖無しの丸孔開口状となった開口部３ａ、４ａとなっており、右側の開口部３ａに右腕が通され、左側の開口部４ａに左腕が通される。
【００２３】
前記右前身頃３の端部におけるウエスト近傍の前面部には、内側腰紐５の端部が縫合され、前記左前身頃４の端部におけるウエスト近傍の前面部には、前側腰紐６の端部が縫合されている。また、前記左前身頃４と後身頃２との間における左脇当部４ｃの脇腹相当位置近傍には前記右前身頃３の内側腰紐５を通すための縦長スリット状の通し孔７を設けてある。なお、上記した内側腰紐５及び前側腰紐６は、胴部（腹部）を１周以上廻せる程度の長さを有している。また、内側腰紐５及び前側腰紐６を配置する位置は、帯２１を巻いた際に隠れる部分であるのが好ましい。
【００２４】
＜袖付き上衣の構成＞
袖付き上衣１１は、図２（ａ）に示すように、着用者の背部を覆う部分である後側の後身頃１２と、該後身頃１２を介して右側の右袖部１５及び右前身頃１３、左側の左袖部１６及び左前身頃１４それぞれが連設されている。さらに前記後身頃１２の首の後ろに相当する部分から前記右前身頃１３及び左前身頃１４の腹当部１３ａ、１４ａ付近にかけて帯状の衿部１７ａ、１７ｂが連設されている。そして、前記後身頃１２、右前身頃１３、及び左前身頃１４の長さが着用者のウエスト近傍までの長さとなって形成されている。
【００２５】
具体的には、右前身頃１３は、後身頃１２の右前部に右袖部１５を挟んで配置され、肩当部１３ｂと脇当部１３ｃの略下半分とで後身頃１２と縫合されている。一方、左前身頃１４は、後身頃１２の左前部に左袖部１６を挟んで配置され、肩当部１４ｂと脇当部１４ｃの略下半分とで後身頃１２と縫合されている。右袖部１５及び左袖部１６は、脇当部１３ｃ、１４ｃの上部に腕が挿通できるようにして取り付けられ、後身頃１２の中心の上端から、右前身頃１３及び左前身頃１４に向って衿部１７ａ、１７ｂが延びている。
【００２６】
前記袖付き上衣１１は、前記右前身頃１３と後身頃１２との間の脇当部１３ｃ外側、及び、前記左前身頃１４の衿部１７ｂの端部外側に、互いに縛結される外側縛結紐１８ａを有し、前記左前身頃１４と後身頃１２との間の脇当部１４ｃ内側、及び、前記右前身頃１３の衿部１７ａの端部外側に、互いに縛結される内側縛結紐１８ｂを有している。また、外側縛結紐１８ａ及び内側縛結紐１８ｂを配置する位置は、帯２１を巻いた際に隠れる部分であるのが好ましい。
【００２７】
なお、本実施形態においては、前記した袖無しワンピース１、袖付き上衣１１、帯２１の各素材はポリエステル製としているが、このほか麻や絹等であってもよい。また、前記袖無しワンピース１、袖付き上衣１１、帯２１には、季節に応じた例えば牡丹や桜等の花柄模様や麻の葉等の地模様等を施してあってもよい。
【００２８】
また、図示による詳細な説明を省略するが、上記した内側腰紐５、前側腰紐６、外側縛結紐１８ａ、内側縛結紐１８ｂの各種の紐材を設ける替わりに、雄雌の面ファスナ、ボタン、フック等による他の留め部材によって止着できるように構成しても良い。
【００２９】
次に、以上のように構成された形態についての浴衣を着用する手順を、図３及び図４を用いて説明する。
【００３０】
前記袖無しワンピース１のみの着用によりワンピーススタイル浴衣となす場合には、図３（ａ）に示すように、まず、袖無しワンピース１の右側の開口部３ａに右腕を通し、左側の開口部４ａに左腕を通す。
【００３１】
右前身頃３の内側腰紐５を通し孔７に通して外側に導き出してから、後身頃２と右前身頃３とにかけて腰に沿わせて巻きつける。左前身頃４の前側腰紐６は、そのまま後身頃２から左前身頃４にかけて腰に巻きつける。そして、図３（ｂ）に示すように、着用者の正面側にて内側腰紐５と前側腰紐６とを結び合わせる。
【００３２】
このとき、必要に応じて図３（ｃ）に示すように、袖無しワンピース１の腰部位置でのタグリによるブラウジング部８（おはしょり）を形成することで、袖無しワンピース１の縦の長さを調整する。
【００３３】
羽織スタイル浴衣となす場合には、図４（ａ）に示すように、袖付き上衣１１の右袖部１５及び左袖部１６に左右の腕をそれぞれ通して、前記袖無しワンピース１の上にこの袖付き上衣１１を重ね着すればよい。
【００３４】
着物スタイル浴衣となす場合には、図４（ｂ）に示すように、袖無しワンピース１の上に袖付き上衣１１が重ね着されている状態で、まず、袖付き上衣１１の右前身頃１３と左前身頃１４の内側縛結紐１８ｂ同士を縛結し、次いで右前身頃１３の上に左前身頃１４を重ねてから、右前身頃１３と左前身頃１４の外側縛結紐１８ａ同士を縛結しておく。
【００３５】
そして、図４（ｃ）に示すように、胴部へ帯２１を巻着する。このとき、帯２１の下端から右前身頃１３と左前身頃１４の下端１７ｃが「おはしょり」のように見える状態にしておけば、袖無しワンピース１と袖付き上衣１１との２部式構成であっても、上下一体となった着物スタイルの浴衣を着用しているように見せることができる。
【００３６】
以上、説明したように、本実施形態においては、上半身から下半身まで延びるワンピーススタイルと、羽織スタイルと、帯を使った着物スタイルとの３通りの着こなしが２枚の着衣でもって自由自在に行える。
【符号の説明】
【００３７】
１              袖無しワンピース
２              後身頃
３              右前身頃
３ａ            開口部
３ｂ            右肩当部
３ｃ            右脇当部
４              左前身頃
４ａ            開口部
４ｂ            左肩当部
４ｃ            左脇当部
５              内側腰紐
６              前側腰紐
７              通し孔
８              ブラウジング部
１１            袖付き上衣
１２            後身頃
１３            右前身頃
１３ａ          腹当部
１３ｂ          肩当部
１３ｃ          脇当部
１４            左前身頃
１４ａ          腹当部
１４ｂ          肩当部
１４ｃ          脇当部
１５            右袖部
１６            左袖部
１７ａ、１７ｂ  衿部
１７ｃ          下端
１８ａ          外側縛結紐
１８ｂ          内側縛結紐
２１            帯
【図１】
0003205203.tif 000003
【図２】
0003205203.tif 000004
【図３】
0003205203.tif 000005
【図４】
0003205203.tif 000006